(57)【要約】【課題】便ふたがないトイレ装置において支持部をカバーすることで外観上良好なものとし、外的な要因より保護することができる。また複数ある前記支持部をカバーしトイレ装置に固定するためには、カバーが便座より突出している複数ある支持部を両端に挟み持つことが必要であり、そのため便座と同等の幅を必要とする場合がある。【解決手段】便器本体の上部後背部に取付けられ、便座、あるいは、人体の局部に対して洗浄水を噴射するための機能部等を内蔵したケーシングを有し、前記便座及び便ふたを同軸にて回動自在に支持する回動軸を具備し、前記回動軸の便ふた取り付け部である支持部を覆うカバーを設けた。【選択図】    図１
2004290532.tif 000002
【特許請求の範囲】
【請求項１】
便器本体の上部後背部に取付けられ、便座、あるいは、人体の局部に対して洗浄水を噴射するための機能部等を内蔵したケーシングを有し、前記便座及び便ふたを同軸にて回動自在に支持する回動軸を具備し、前記回動軸の便ふた取り付け部である支持部を覆うカバーを設けたこと特徴とするトイレ装置
【請求項２】
請求項１記載のトイレ装置において、前記ケーシング前面の傾斜面両端部には、便座及び便ふたを支持する突起を上方に向けて配設し、前記カバーは前記突起を挟持することで前記ケーシングに固定されることを特徴とするトイレ装置
【請求項３】
請求項２記載のトイレ装置において、下部に前記突起が遊嵌する凹穴を備え、上部には前記回動軸を挿通支持したヒンジブロックを前記突起に挿脱自在に取付け、前記カバーは前記突起を挟持して固定するための脚部を有し、前記脚部を前記ヒンジブロックと前記ケーシングとの間に設けたことことを特徴とするトイレ装置
【発明の詳細な説明】
【０００１】
【発明の属する技術分野】
本発明は便ふたがないトイレ装置において、便座・便ふたを同軸にて回動自在に支持する支持部を具備し、前記便座より突出している便ふたを回動自在に支持する前記支持部をカバーし、前記ケーシングに固定し、便座を立てた時に、便座の表面が前記ケーシング等に衝突して損傷するのを良好に回避して、便座等に取付け可能としたトイレ装置に関する発明である。
【０００２】
【従来の技術】
従来から便座、便ふたあるいは人体局部に対して洗浄水を噴射する為の機能部等を内蔵したケーシングを有する装置において、便座、便ふたを回動自在に支持する支持部が設けられている。
ただ近年、公共のトイレや便座及びトイレ装置を上下に作動させる昇降便座等には便ふたがない仕様を求められることがあり、部品共通化等を考慮し便ふたのみをはずして、便ふたを回動自在に支持する支持部を利用して固定し、便座の回動を規制することを特徴とするトイレ装置を設けたものもある。（例えば特許文献１）
【０００３】
また便ふたを回動自在に支持する支持部をカバーして便座の一部を被収容部となす収容部を両端に設けたことを特徴とするトイレ装置を設けたものもある。（例えば特許文献２）
【０００４】
【特許文献１】
特開平１０−３２８０７７号公報
【特許文献２】
特開２００２−３４８５７号公報
【０００５】
【発明が解決しようとする課題】
便ふたがないトイレ装置において便ふたがあるトイレ装置より便ふたを取外したのみでは便ふたを回動自在に支持する支持部が便座より突出していしまい、部品の共通化等を考慮した時に、便ふたがないトイレ装置において支持部の構成を変えることがなく、支持部をカバーすることで外観上良好なものとし、外的な要因より保護することができる。また複数ある前記支持部をカバーしトイレ装置に固定するためには、カバーが便座より突出している複数ある支持部を両端に挟み持つことが必要であり、そのため便座と同等の幅を必要とする場合がある。
本発明は、上記問題を解決するためになされたもので、本発明の目的は、便座の幅と同等の幅を必要としないカバーを取付けたトイレ装置を提供することにある。
【０００６】
【課題を解決するための手段】
上記目的を達成するために請求項１は、便器本体の上部後背部に取付けられ、便座、あるいは、人体の局部に対して洗浄水を噴射するための機能部等を内蔵したケーシングを有し、前記便座及び便ふたを同軸にて回動自在に支持する回動軸を具備し、前記回動軸の便ふた取り付け部である支持部を覆うカバーを設けた。
【０００７】
上記目的を達成するために請求項２は、請求項１記載のトイレ装置において、前記ケーシング前面の傾斜面両端部には、便座及び便ふたを支持する突起を上方に向けて配設し、前記カバーは前記突起を挟持することで前記ケーシングに固定されることで前記カバーをネジ等は用いずに前記ケーシングに固定することができる。
【０００８】
上記目的を達成するために請求項３は、請求項２記載のトイレ装置において、下部に前記突起が遊嵌する凹穴を備え、上部には前記回動軸を挿通支持したヒンジブロックを前記突起に挿脱自在に取付け、前記カバーは前記突起を挟持して固定するための脚部を有し、前記脚部を前記ヒンジブロックと前記ケーシングとの間に、設けたことで、便座を立てた状態からケーシング側に力を加えられても、便座を支持しているヒンジブロック、ケーシングの突起が後方にたわまないように支持し、便座・ケーシング及び支持部等を保持することができる
【０００９】
【発明の実施の形態】
以下、本発明の実施例を図１により説明する。図１において、トイレ内に設置した便器本体１の上面後背部に据え付けた、本発明のトイレ装置２の斜視図である。
【００１０】
図２において、２ａは前記トイレ装置２の人体局部に対し洗浄水を噴射するための機能部等を収納したケーシングであり、前記ケーシング２ａの前面には、傾斜面２ｃが形成されている。前記傾斜面２ｃの左右両端側には、一対の突起２ｄが上方に向けて突設されている。
【００１１】
３は前記ケーシング２ａの傾斜面２ｃに配した突起２ｄに挿脱自在に取付けられるヒンジブロックで、上部には便座を回動自在に支持する前記支持部４の一端を支持する孔３ａを設けており、下部には前記突起２ｄと嵌合する凹孔３ｂを設けている。図２に示すように前記ヒンジブロック３の外周には前記支持部４と同軸にて回動可能に取付けたカバー３ｃを設けている。前記カバー３ｃの内面側に設けたフック３ｄは前記突起２ｄの下方に設けた溝形状２ｅに係合させている。従って前記カバー３ｃを回動させることで前記溝形状２ｅに係合していた前記フック３ｄが前記溝形状２ｅより外れ、前記ヒンジブロック３が前記ケーシング２ａより挿脱自在となる。
図３においてカバー７を装着した状態の側面図であり、左図において前記ヒンジブロック３が前記ケーシング２ａより挿脱自在となる状態であり、右図において前記フック３ｄが前記突起２ｄの下方に設けた溝形状２ｅに係合させており、挿脱不可の状態であり、挿脱不可の状態にて便座５は前記ケーシング２ａに固定される。
【００１２】
図１、４に示すように、前記便座５は前記トイレ装置２の開閉可能に取付けられており、前記便座５の基端側の左右両端部には前記支持部４が前記便座５及び便ふた６を回動自在とする軸上をスライド可能となる様にヒンジ部５ａを設けている。前記ヒンジ部５ａは前記支持部４を軸支するヒンジ部孔５ｂと前記孔５ｂの内側に前記支持部４がスライド可能となる空間５ｃを設けている。前記空間５ｃを設けることで、便ふた６のみを挿脱する際、前記支持部４を前記空間５ｃにスライドさせることで、前記便ふた６を回動支持する前記支持部４が前記便ふた６に設けたヒンジ孔６ａより引き出され前記便ふた６の挿脱が可能となる。また前記ヒンジ孔６ａには前記支持部４が挿入しやすいように薄肉の円柱形状であるヒンジ孔６ａの挿入口をＣカットして傾斜を設けている。
【００１３】
前記便ふた６を取付ける際には前記支持部４を前記便座５のヒンジ部孔５ｂより突出しないように前記空間５ｃにスライドし、前記便ふた６を挿脱可能な状態にして、前記便ふた６を取付けられる位置に置いた後に、前記空間５ｃにスライドされていた前記支持部４を前記便ふた６のヒンジ孔６ａに挿入することで前記便ふた６は取付けられる。
【００１４】
図５において、前記支持部４は前記ヒンジブロック３の孔３ａに挿入することで前記支持部４の一端を軸支しているが、前記支持部４が前記ヒンジブロック孔３ａより抜けないように、前記支持部４を前記ヒンジブロック孔３ａの奥まで当接させて前記ヒンジブロックにネジ穴を設け、前記ネジ穴に合うように前記支持部４に凹形状４ａを設け、前記ネジ穴にネジを入れ、前記支持部４の凹形状４ａに入るまでネジを回す。以上のように前記ヒンジブロック３と前記支持部４を組み合わせることにより、前記ヒンジブロック３により前記支持部４をスライドさせることができる。
また前記便座５にある前記空間５ｃには前記ヒンジブロック３及び前記支持部４をスライドする範囲を規制するストッパー５ｄが設けてあり、前記ヒンジブロック３及び前記支持部４をスライドする範囲を規制することができる。
【００１５】
図６において、前記便座５を前記ケーシング２ａに取付けた状態で、前記便座５を回動させた時に所定の角度以上に前記便座５を回動させない為に、前記便座５を回動した時に、前記便座５の後背部端５ｅを前記ヒンジブロック３の後背部に当接して、前記便座５の回動を規制している。
よって前記便座５は前記便蓋６がなくても、前記便座５は前記ケーシング２ａに当接することなく、前記便座５は前記ヒンジブロック３により回動を規制することができる。
【００１６】
本件は前記便ふた６がない前記トイレ装置２であり、前記便ふた６の代わりにカバー７を取付けている。前記便座５より突出している前記便ふた６を回動自在に支持する前記支持部４に対し、前記カバー７が前記支持部４のスライドする軸上に挿脱自在となるように、図７に示すように前記カバー孔７ａを設けている。
また前記カバー７には前記ケーシング２ａの前面にある前記突起２ｄを前記カバー７の脚部７ｂにて挟持している。従って前記カバー７は前記支持部４の軸上にて挿脱自在としており、前記脚部７ｂにより前記突起２ｄを挟持いることで、前記カバー７のスライドを規制し、前記ケーシング２ａに固定することが可能となる。
【００１７】
つづいて前記カバー孔７ａと前記脚部７ｂを連結する連結部７ｃを前記突起２ｄに嵌合する前記ヒンジブロック３と前記ケーシングの前面にある傾斜部２ｃとの間に設けている。前記便座５が回動して前記ヒンジブロック３の後背部に当接している状態より、必要以上の力が前記便座５の裏面に加えられた時に、前記便座５を前記ケーシング２ａに固定している前記ヒンジブロック３と嵌合している前記突起２ｄに大きな力が加わり、前記突起２ｄは後方の前記ケーシング２ａ側に倒れようとする。しかし前記カバー７の連結部７ｃを前記ヒンジブロック３と前記ケーシング２ａとの間に設けることにより、前記ヒンジブロック３を支持することにより前記突起２ｄが後方にたわまないよう良好に支持することができるので、前記ケーシング２ａ、ヒンジブロック３、支持部４、便座５、が損傷することから良好に回避することが可能となる。
【００１８】
前記カバー７には前記カバー孔７ａにより、前記支持部４の軸上にスライドし、前記脚部７ｂにより前記突起２ｄを挟持することで前記カバー７のスライドを規制し、前記ケーシング２ａに固定しているが、前記カバー孔７ａと前記支持部４との間には前記便座５が回動するために隙間を設けてあり、そのため前記カバー７は隙間の分だけ前記支持部４よりうごき、前記カバー孔７ａと脚部７ｂの位置が左右に離れており、前記脚部７ｂにより前記突起２ｄを挟持しているのでガタが生じやすくなる。そのため２つの前記突起２ｄの外側に位置するように前記カバー７に脚７ｄを設けることで前記脚部７ｂととも前記ケーシングに当接することで前記突起２ｄの外側にある前記脚部７ｂを支点として回転するガタを防止することができ、前記便座５とカバー７との間にできる隙間も小さくすることができる。
【００１９】
【発明の効果】
請求項１記載の発明によれば、便器本体の上部後背部に取付けられ、暖房便座、あるいは、人体の局部に対して洗浄水を噴射するための機能部等を内蔵したケーシングを有し、便座・便ふたを同軸にて回動自在に支持する支持部を具備し、かつ便ふたがないトイレ装置において、前記便座の左右に位置し、便座より突出している便ふたを回動自在に支持する支持部左右２箇所をカバーする左右別部品を設けており、便座より突出しない便座及び支持部等をつくることがなく、便ふたがあるトイレ装置と部品の共通化が可能となり、かつコンパクトな設計を提供することが可能となる。
【００２０】
上記目的を達成するために請求項２は、請求項１のトイレ装置において、前記ケーシング前面の傾斜面両端部に突起を配し、前記突起を挟持あるいは遊嵌することで前記カバーをネジ等は用いずに前記ケーシングに固定できるトイレ装置を提供することが可能となる。
【００２１】
上記目的を達成するために請求項３は、請求項２のトイレ装置において、前記突起には、下部に前記突起が遊嵌する凹穴を備えて、上部には便座の後背部両端に設けたヒンジ部との間に便座を回動自在に支持する支持部を挿通支持したヒンジブロックを挿脱自在に取付け、前記ヒンジブロックと前記ケーシングとの間にカバーを固定する前記突起を挟持または遊嵌する脚部を設けることで、便座を立てた状態からケーシング側に力を加えられても、便座を支持しているヒンジブロック、ケーシングの突起が後方にたわまないように支持し、便座・ケーシング及び支持部等を保持することができ、便座を立てた時に、便座の表面が前記ケーシング等に衝突して損傷するのを良好に回避して、便座等に取付け可能としたトイレ装置を提供することが可能となる。
【図面の簡単な説明】
【図１】本発明のトイレ装置を示す斜視図である。
【図２】ケーシング２ａとヒンジブロック３の係わりを示す斜視図である。
【図３】ケーシング２ａの突起２ｄとヒンジブロック３が挿脱自在の状態を示す図（左）とカバー３ｃにあるフック３ｄを溝形状２ｅに入れ、ヒンジブロック３が挿脱不可とした状態（右）
【図４】便ふたがある仕様において、ケーシングの突起とヒンジブロック、支持部、便座・便ふたの係わりを説明する斜視図である。
【図５】カバー７を装着した状態の突起２ｄ、ヒンジブロック３、支持部４、便座５位置を示す図である。
【図６】便座５を回動した時のヒンジブロックに当接した状態を示す側面図（左）であり、カバー７を装着した状態の側面図（右）である。
【図７】右側のカバーの部位を説明する図である
【符号の説明】
２・・・トイレ装置、３・・・ヒンジブロック、４・・・回動軸、４ａ・・・支持部  ５・・・便座、６・・・便ふた、７・・・カバー
【図１】
2004290532.tif 000003
【図２】
2004290532.tif 000004
【図３】
2004290532.tif 000005
【図４】
2004290532.tif 000006
【図５】
2004290532.tif 000007
【図６】
2004290532.tif 000008
【図７】
2004290532.tif 000009